(57)【要約】【課題】複数のシステムを接続した場合であっても、送達確認を可能とする。【解決手段】送信元端末であるＭＭＳ端末３０ａがＭＭＳリレー／サーバ３０ｄに送信したメッセージが、送信先端末である移動端末１０ａにメッセージを送信するメッセージサーバ１０ｄにより移動端末１０ａに送信されたことを、変換サーバ２０がＭＭＳ端末３０ａに通知する。【選択図】  図１
2005049953.tif 000002
【特許請求の範囲】
【請求項１】
送信元端末から送信されたメッセージを送信する送信元送信手段と、
該送信元送信手段が送信した前記メッセージを送信先端末に送信する送信先送信手段と、
前記送信先送信手段が前記メッセージを前記送信先端末に送信したことを、前記送信元端末に通知する通知手段とを備えることを特徴とする通信システム。
【請求項２】
前記通知手段は、前記送信先端末が前記送信元端末からのメッセージに含まれる情報にアクセスしたことを、前記送信元端末に通知することを特徴とする請求項１に記載の通信システム。
【請求項３】
送信元端末から送信され、送信元送信手段が送信するメッセージを送信先端末に送信する送信先送信手段が、前記メッセージを前記送信先端末に送信したことを前記送信元端末に通知する通知手段を備えることを特徴とするサーバ。
【請求項４】
前記送信元送信手段から前記メッセージが送信された際に、前記メッセージに該メッセージを識別する識別データを付与する付与手段と、
前記識別データ毎に、前記送信先送信手段による前記メッセージの送信状況を保持する保持手段とを備え、
前記通知手段は、前記保持手段に保持された前記送信状況に基づいて、前記通知を行うことを特徴とする請求項３に記載のサーバ。
【請求項５】
前記付与手段は、前記メッセージに該メッセージを送信先毎に識別する管理データを付与し、
前記保持手段は、前記識別データと前記管理データとを対応付けて保持することを特徴とする請求項４に記載のサーバ。
【請求項６】
前記通知手段は、前記送信先端末が前記送信元端末からのメッセージに含まれる情報にアクセスしたことを、前記送信元端末に通知することを特徴とする請求項３乃至５のいずれか１項に記載のサーバ。
【請求項７】
前記通知手段は、前記送信先端末による前記情報が格納されている格納先へのアクセスに基づいて、前記情報にアクセスしたことの通知を行うことを特徴とする請求項６に記載のサーバ。
【請求項８】
前記送信先端末から、前記情報にアクセスしたことを示す既読信号を受信する既読信号受信手段を備え、
前記通知手段は、前記既読信号受信手段による前記既読信号の受信に基づいて、前記情報にアクセスしたことの通知を行うことを特徴とする請求項６又は７に記載のサーバ。
【請求項９】
前記送信元送信手段から前記メッセージを受信するメッセージ受信手段と、
前記送信先送信手段とを備えることを特徴とする請求項３乃至８のいずれか１項に記載のサーバ。
【請求項１０】
前記送信元端末からのメッセージを、該メッセージに含まれている情報の格納先を含むメッセージに変換する変換手段を備えることを特徴とする請求項３乃至９のいずれか１項に記載のサーバ。
【請求項１１】
メッセージを受信する受信手段と、
該受信手段が受信したメッセージに含まれる情報にアクセスしたことを示す既読信号を送信する送信手段とを備えることを特徴とする端末。
【請求項１２】
送信元端末から送信され、送信元送信手段が送信するメッセージを送信先端末に送信する送信先送信手段が、前記メッセージを前記送信先端末に送信したことを、前記送信元端末に通知することを特徴とする通信方法。
【請求項１３】
前記送信先端末が前記送信元端末からのメッセージに含まれる情報にアクセスしたことを、前記送信元端末に通知することを特徴とする請求項１２に記載の通信方法。
【発明の詳細な説明】
【０００１】
【発明の属する技術分野】
本発明は、通信システム、サーバ、端末及び通信方法に関する。
【０００２】
【従来の技術】
従来、マルチメディアメッセージングサービス（Ｍｕｌｔｉｍｅｄｉａ  Ｍｅｓｓａｇｉｎｇ  Ｓｅｒｖｉｃｅ、以下「ＭＭＳ」と表す）を行う通信システムでは、送達確認を行うことができる。図１１に示すように、ＭＭＳ端末３１０が、ＭＭＳリレー／サーバ３２０に、ＭＭＳ端末３３０へのメッセージの送信を要求する送信要求（ＭＭ１＿ｓｕｂｉｍｉｔ．ＲＥＱ）を送信する（Ｓ３０１）。このとき、ＭＭＳ端末３１０は、送達確認通知を行うようＭＭＳリレー／サーバ３２０に要求できる。ＭＭＳ端末３３０へのメッセージは、ＭＭＳリレー／サーバ３２０に一度蓄積される（Ｓ３０２）。ＭＭＳリレー／サーバ３２０は、ＭＭＳ端末３１０に、送信要求を受信したことを通知する送信応答（ＭＭ１＿Ｍ＿ｓｕｂｉｍｉｔ．ＲＥＳ）を送信する（Ｓ３０３）。
【０００３】
ＭＭＳリレー／サーバ３２０は、ＭＭＳ端末３３０に、ＭＭＳ端末３１０からのメッセージが届いていることを知らせる着信通知（ＭＭ１＿ｎｏｔｉｆｉｃａｔｉｏｎ．ＲＥＱ）を送信する（Ｓ３０４）。着信通知を受信したＭＭＳ端末３３０は、ＭＭＳリレー／サーバ３２０に、着信通知を受信したことの通知（ＭＭ１＿ｎｏｔｉｆｉｃａｔｉｏｎ．ＲＥＳ）を送信する（Ｓ３０５）。
【０００４】
更に、ＭＭＳ端末３３０は、メッセージを受信したい旨を通知するＭＭ受信要求（ＭＭ１＿ｒｅｔｒｉｅｖｅ．ＲＥＱ）を、ＭＭＳリレー／サーバ３２０に送信する（Ｓ３０６）。ＭＭＳリレー／サーバ３２０は、ＭＭＳ端末３１０からのメッセージを、（ＭＭ１＿ｒｅｔｒｉｅｖｅ．ＲＥＳ）としてＭＭＳ端末３３０に送信する（Ｓ３０７）。メッセージを受信したＭＭＳ端末３３０は、受信したことを通知する受信通知（ＭＭ１＿ａｃｋｎｏｗｌｅｄｇｅｍｅｎｔ．ＲＥＱ）をＭＭＳリレー／サーバ３２０に送信する（Ｓ３０８）。そして、ＭＭＳリレー／サーバ３２０は、ＭＭＳ端末３３０にメッセージを送信したことを通知する送達確認通知（ＭＭ１＿ｄｅｌｉｖｅｒｙ＿ｒｅｐｏｒｔ．ＲＥＱ）を、ＭＭＳ端末３１０に送信する（Ｓ３０９）。
【０００５】
又、情報を含む電子メールを送信するのではなく、サーバに情報を格納し、その情報の格納先を示すＵＲＬ（Ｕｎｉｆｏｒｍ  Ｒｅｓｏｕｒｃｅ  Ｌｏｃａｔｏｒ）アドレスを含む電子メールを、端末に送信することが行われている。端末は、そのＵＲＬアドレスにアクセスすることにより、情報にアクセスする。この場合に、端末がＵＲＬアドレスにアクセスしたか否かを管理し、送信側がアクセスの有無を確認する技術も提案されている（例えば、「特許文献１」参照）。
【０００６】
【特許文献１】
特開２０００−２０７３００号公報
【０００７】
【発明が解決しようとする課題】
しかしながら、送達確認を行う機能を備えるシステムと、送達確認を行う機能を備えないシステムとを接続し、両者の間でメッセージの送受信を行おうとした場合、送達確認を行うことができなかった。即ち、送達確認を行う機能を備えないシステム側で、送達確認を行う機能を備えるシステムからのメッセージを端末に送信しても、送達確認通知を送信することができない。そのため、送達確認を行う機能を備えるシステム側では、送達確認を行う機能を備えないシステム側でメッセージが送信されたか否かを確認できなかった。メッセージに含まれる情報へのアクセスの確認についても、同様の問題があった。即ち、情報にアクセスしたか否かを管理する機能を備えるシステムと、管理する機能を備えないシステムとを接続し、両者の間でメッセージの送受信を行おうとした場合、メッセージに含まれる情報にアクセスしたか否かの確認を行う既読確認を行うことができなかった。
【０００８】
そこで、本発明の第１の目的は、複数のシステムを接続した場合であっても、送達確認を行えるようにすることにある。更に、本発明の第２の目的は、複数のシステムを接続した場合であっても、既読確認を行えるようにすることにある。
【０００９】
【課題を解決するための手段】
本発明に係る通信システムは、送信元端末から送信されたメッセージを送信する送信元送信手段と、送信元送信手段が送信したメッセージを送信先端末に送信する送信先送信手段と、送信先送信手段がメッセージを送信先端末に送信したことを、送信元端末に通知する通知手段とを備えることを特徴とする。又、本発明に係るサーバは、送信元端末から送信され、送信元送信手段が送信するメッセージを送信先端末に送信する送信先送信手段が、メッセージを送信先端末に送信したことを、送信元端末に通知する通知手段を備えることを特徴とする。
【００１０】
このような通信システムやサーバによれば、送信元端末が送信元送信手段に送信したメッセージが、送信先端末にメッセージを送信する送信先送信手段により送信先端末に送信されたことを、通知手段が送信元端末に通知できる。そのため、複数のシステムが接続され、送信元送信手段と送信先送信手段が同一のシステムに設けられていない場合であっても、送信元端末は送信元送信手段に送信したメッセージが、送信先送信手段によって送信先端末に送信されたことを確認する送達確認を行うことができる。
【００１１】
又、サーバは、送信元送信手段からメッセージが送信された際に、メッセージにそのメッセージを識別する識別データを付与する付与手段と、識別データ毎に、送信先送信手段によるメッセージの送信状況を保持する保持手段とを備え、通知手段は、保持手段に保持された送信状況に基づいて、通知を行うことが好ましい。これによれば、サーバは、送信元送信手段によるメッセージの送信と、そのメッセージの送信先送信手段による送信とを、識別情報を用いて関連付けることができる。そして、サーバは、送信元送信手段から送信されたメッセージの送信先送信手段による送信状況を、識別情報を用いて管理できる。更に、通知手段は、保持手段に保持された送信状況に基づいて、送信先送信手段がメッセージを送信先端末に送信したことを送信元端末に容易に通知できる。
【００１２】
付与手段は、メッセージにそのメッセージを送信先毎に識別する管理データを付与し、保持手段は、識別データ毎と管理データとを対応付けて保持することが好ましい。これによれば、サーバは、識別データと管理データとを関連付けることができる。そのため、サーバは、送信元送信手段によるメッセージの送信と、送信先送信手段によるメッセージの送信先毎の送信とを、識別データと管理データを用いて関連付け、管理することができる。
【００１３】
更に、通知手段は、送信先端末が送信元端末からのメッセージに含まれる情報にアクセスしたことを、送信元端末に通知することが好ましい。これによれば、複数のシステムが接続され、送信元端末と送信先端末が同一のシステムに存在しない場合であっても、送信元端末は送信元送信手段に送信したメッセージに含まれる情報に、送信先端末がアクセスしたことを確認する既読確認を行うことができる。
【００１４】
通知手段は、送信先端末による情報が格納されている格納先へのアクセスに基づいて、情報にアクセスしたことの通知を行うようにしてもよい。これによれば、送信元端末からの情報を含むメッセージがそのまま送信先端末に送信されるのではなく、その情報が格納先に格納され、その格納先を含むメッセージに変換されて、送信先送信手段により送信先端末に送信される場合に、送信元端末は、送信先端末が格納先にアクセスして、情報にアクセスしたことを確認できる。
【００１５】
又、サーバは、送信先端末から、情報にアクセスしたことを示す既読信号を受信する既読信号受信手段を備え、通知手段は、既読信号受信手段による既読信号の受信に基づいて、情報にアクセスしたことの通知を行うようにしてもよい。これによれば、サーバは、送信先端末から既読信号を受信することができ、既読信号の受信に基づいて情報にアクセスしたことの通知を、容易に送信元端末に対して行うことができる。
【００１６】
更に、サーバは、送信元送信手段からメッセージを受信するメッセージ受信手段と、送信先送信手段とを備えるようにしてもよい。これによれば、サーバが、送信元端末と送信先端末との間のメッセージの送受信を中継できる。又、サーバは、送信元端末により送信されたメッセージを、そのメッセージに含まれている情報の格納先を含むメッセージに変換する変換手段を備えることが好ましい。これによれば、送信元端末からの情報を含むメッセージをそのまま送信先端末に送信するのではなく、送信先送信手段は、その情報の格納先を含むメッセージを送信することができる。
【００１７】
本発明に係る端末は、メッセージを受信する受信手段と、受信手段が受信したメッセージに含まれる情報にアクセスしたことを示す既読信号を送信する送信手段とを備えることを特徴とする。このような端末によれば、送信元端末が送信したメッセージに含まれる情報に送信先端末がアクセスしたことを送信元端末に通知するサーバに、情報にアクセスしたことを通知することができる。そのため、複数のシステムが接続され、送信元端末と送信先端末が同一のシステムに存在しない場合であっても、送信元端末は送信したメッセージに含まれる情報に、送信先端末がアクセスしたことを確認する既読確認を行うことができる。
【００１８】
本発明に係る通信方法は、送信元端末から送信され、送信元送信手段が送信するメッセージを送信先端末に送信する送信先送信手段が、メッセージを送信先端末に送信したことを、送信元端末に通知することを特徴とする。更に、送信先端末が送信元端末からのメッセージに含まれる情報にアクセスしたことを、送信元端末に通知するようにしてもよい。
【００１９】
【発明の実施の形態】
［第１の実施の形態］
〔通信システム〕
図１に示すように、通信システム１は、第１メッセージングシステム１０と、変換サーバ２０と、第２メッセージングシステム３０とを備える。通信システム１は、複数のシステム、第１メッセージングシステム１０と第２メッセージングシステム３０とを、変換サーバ２０を介して接続した通信システムである。
【００２０】
第１メッセージングシステム１０は、移動通信サービスを行う。第１メッセージングシステム１０は、送達確認、既読確認を行う機能を備えていない。第１メッセージングシステム１０は、移動端末１０ａと、無線基地局１０ｂと、移動通信パケット通信網１０ｃと、メッセージサーバ１０ｄとを備える。メッセージサーバ１０ｄは、例えば、ｉ−ｍｏｄｅ（登録商標）サーバを用いることができる。第２メッセージングシステム３０は、マルチメディアメッセージングサービスを行う。第２メッセージングシステム３０は、送達確認、既読確認を行う機能を備えている。第２メッセージングシステム３０は、マルチメディアメッセージングサービス端末（以下「ＭＭＳ端末」という）３０ａと、無線基地局３０ｂと、移動通信パケット通信網３０ｃと、マルチメディアメッセージングサービスリレー／サーバ（以下「ＭＭＳリレー／サーバ」という）３０ｄとを備える。
【００２１】
変換サーバ２０は、送信先送信手段による送信先端末へのメッセージの送信状況を管理し、送信先送信手段がメッセージを送信先端末に送信したことを送信元端末に通知する。又、変換サーバ２０は、送信先送信手段により送信されたメッセージに含まれる情報への送信先端末によるアクセス状況を管理し、送信先端末がメッセージに含まれる情報にアクセスしたことを送信元端末に通知する。更に、変換サーバ２０は、ＭＭＳ端末３０ａと移動端末１０ａとの間のメッセージの送受信を中継する。又、変換サーバ２０には、送信元送信手段により送信されたメッセージに含まれる送信先端末への情報を格納しておくことができる。又、変換サーバ２０は、送信元端末により送信されたメッセージを、そのメッセージに含まれている情報を含むメッセージに変換して、送信先送信手段に送信する。そして、変換サーバ２０は、送信先端末が情報の格納先にアクセスした際に、情報を送信先端末に提供する。情報の格納先は、例えば、ＵＲＬアドレスを用いて示すことができる。以下、送信先端末がＵＲＬアドレスにアクセスし、格納されている情報にアクセスすることを「ＵＲＬ閲覧」という。
【００２２】
ＭＭＳ端末３０ａが送信元端末、移動端末１０ａが送信先端末となる場合には、ＭＭＳ端末３０ａが移動端末１０ａへのメッセージを送信する。無線基地局３０ｂは、ＭＭＳ端末３０ａからメッセージを受信し、移動パケット通信網３０ｃを介してＭＭＳリレー／サーバ３０ｄに送信する。ＭＭＳリレー／サーバ３０ｄは、送信元端末から送信されたメッセージを送信する送信元送信手段となり、メッセージを変換サーバ２０に送信する。
【００２３】
変換サーバ２０は、ＭＭＳ端末３０ａからのメッセージに含まれる情報を格納し、メッセージを、情報の格納先示すＵＲＬアドレスを含むメッセージに変換して、メッセージサーバ１０ｄに送信する。メッセージサーバ１０ｄは、送信元送信手段が送信したメッセージを送信先端末に送信する送信先送信手段となり、情報の格納先を示すＵＲＬアドレスを含むメッセージを、移動パケット通信網１０ｃ、無線基地局１０ｂを介して移動端末１０ａに送信する。メッセージサーバ１０ｄは、第１メッセージングシステム１０におけるメッセージとして、例えば、ｉ−ｍｏｄｅ（登録商標）メールを送信することができる。
【００２４】
送信先送信手段であるメッセージサーバ１０ｄは、メッセージを移動端末１０ａに送信すると、変換サーバ２０に、メッセージを送信先端末である移動端末１０ａに送信したことを通知する。これにより、変換サーバ２０は、メッセージサーバ１０ｄがメッセージを移動端末１０ａに送信したことを把握する。そして、変換サーバ２０は、送信先送信手段であるメッセージサーバ１０ｄが、メッセージを送信先端末である移動端末１０ａに送信したことを、送信元端末であるＭＭＳ端末３０ａに通知する。
【００２５】
このとき、ＭＭＳリレー／サーバ３０ｄは、メッセージを送信したことを通知する送達確認通知を、ＭＭＳ端末３０ａに送信する機能を備えている。そのため、変換サーバ２０がＭＭＳリレー／サーバ３０ｄに送達確認通知を送信すれば、ＭＭＳリレー／サーバ３０ｄによってＭＭＳ端末３０ａに送達確認通知が送信される。よって、変換サーバ２０は、ＭＭＳリレー／サーバ３０ｄに、送信先送信手段が送信先端末にメッセージを送信したことを通知する送達確認通知を送信することにより、ＭＭＳ端末３０ａに通知を行う。
【００２６】
移動端末１０ａは、メッセージに含まれるＵＲＬアドレスにアクセスして、格納されている情報にアクセスする。変換サーバ２０は、移動パケット通信網１０ｃ、無線基地局１０ｂを介して、格納されているＭＭＳ端末３０ａからの情報を、移動端末１０ａに提供する。そして、変換サーバ２０が、送信先端末である移動端末１０ａが、送信元端末であるＭＭＳ端末３０ａから送信されたメッセージに含まれる情報にアクセスしたことを、送信元端末であるＭＭＳ端末３０ａに通知する。このとき、ＭＭＳリレー／サーバ３０ｄは、メッセージに含まれる情報にアクセスしたことを通知する既読確認通知を、ＭＭＳ端末３０ａに送信する機能を備えている。そのため、変換サーバ２０がＭＭＳリレー／サーバ３０ｄに既読確認通知を送信すれば、ＭＭＳリレー／サーバ３０ｄによってＭＭＳ端末３０ａに既読確認通知が送信される。よって、変換サーバ２０は、ＭＭＳリレー／サーバ３０ｄに、送信先端末が送信元送信手段からのメッセージに含まれる情報にアクセスしたことを通知する既読確認通知を送信することにより、ＭＭＳ端末３０ａに通知を行う。
【００２７】
移動端末１０ａが送信元端末、ＭＭＳ端末３０ａが送信先端末となる場合には、移動端末１０ａが、ＭＭＳ端末３０ａへのメッセージを送信する。移動端末１０ａは、第１メッセージングシステム１０におけるメッセージとして、例えば、ｉ−ｍｏｄｅ（登録商標）メールを送信することができる。無線基地局１０ｂは、移動端末１０ａからメッセージを受信し、移動パケット通信網１０ｃを介してメッセージサーバ１０ｄに送信する。メッセージサーバ１０ｄは送信元送信手段となり、メッセージを変換サーバ２０に送信する。変換サーバ２０は、移動端末１０ａからのメッセージをＭＭＳリレー／サーバ３０ｄに送信する。ＭＭＳリレー／サーバ３０ｄは、送信先送信手段となり、受信したメッセージを、移動パケット通信網３０ｃ、無線基地局３０ｂを介してＭＭＳ端末３０ａに送信する。
【００２８】
〔変換サーバ〕
変換サーバ２０は、図２に示すように、メッセージ／ＭＭＳ制御部２１と、送達既読管理データベース２２と、メッセージサーバインタフェース部２３と、ＭＭＳリレー／サーバインタフェース部２４と、ＷＷＷ（Ｗｏｒｌｄ  Ｗｉｄｅ  Ｗｅｂ）サーバ部２５とを備える。図２では、ＭＭＳ端末３０ａが送信元端末、移動端末１０ａが送信先端末、ＭＭＳリレー／サーバ３０ｄが、送信元端末であるＭＭＳ端末３０ａから送信されたメッセージを送信する送信元送信手段、メッセージサーバ１０ｄが、送信元送信手段であるＭＭＳリレー／サーバ３０ｄが送信したメッセージを、送信先端末である移動端末１０ａに送信する送信先送信手段である場合を例にとって説明する。又、図２中、実線の矢印は、ＭＭＳ端末３０ａからメッセージが送信された時の処理の経路を示し、一点鎖線の矢印は、送達確認を行う時の処理の経路を示し、点線の矢印は、ＵＲＬ閲覧、既読確認を行う時の処理の経路を示す。
【００２９】
送達既読管理データベース２２は、送信先送信手段によるメッセージの送信状況を保持する保持手段である。又、送達既読管理データベース２２は、送信先端末による送信元端末からのメッセージに含まれる情報へのアクセス状況も保持する。図３に示すように、送達既読管理データベース２２は、接続ＩＤ、送信元〔Ｆｒｏｍ〕、宛先〔ＴＯ（１）〕、ＴＯ（１）送達フラグ、ＴＯ（１）既読フラグ、宛先〔ＴＯ（２）〕、ＴＯ（２）送達フラグ、ＴＯ（２）既読フラグ、ＵＲＬ、作成日時、消去日時のフィールドを備える。送達既読管理データベース２２は、送達確認、既読確認を行うために必要な情報を保持する。
【００３０】
接続ＩＤのフィールドには、接続ＩＤが格納される。接続ＩＤは、送信元送信手段からメッセージが送信された際にメッセージに付与する、メッセージを識別する識別データである。送達既読管理データベース２２は、接続ＩＤ毎に、メッセージの送信状況や、メッセージに含まれる情報へのアクセス状況を含むメッセージに関する情報を保持し、管理する。送信元〔ＦＲＯＭ〕のフィールドには、メッセージの送信元を示す情報が格納される。送信元を示す情報として、送信元端末であるＭＭＳ端末３０ａやＭＭＳ端末３０ａのユーザを示す情報が格納される。例えば、ＭＭＳ端末３０ａのユーザのアドレスや電話番号などが格納される。
【００３１】
宛先〔ＴＯ（１）〕、宛先〔ＴＯ（２）〕のフィールドには、メッセージの送信先を示す情報が格納される。送信先を示す情報として、送信先端末である移動端末１０ａや移動端末１０ａのユーザを示す情報が格納される。例えば、移動端末１０ａのユーザのアドレスや電話番号などが格納される。尚、図３では、宛先のフィールドが２つとなっているが、宛先のフィールドの数は限定されない。例えば、システム設計時に、指定可能な宛先の最大数を想定し、その最大数だけ宛先のフィールドを設けるようにしてもよい。
【００３２】
ＴＯ（１）送達フラグ、ＴＯ（２）送達フラグのフィールドには、宛先毎に送信状況が格納される。ＴＯ（１）送達フラグ、ＴＯ（２）送達フラグのフィールドには、送信状況として「済」又は「未」が格納される。「済」は、送信先送信手段が送信先端末にメッセージを送信したことを示し、「未」は、送信先送信手段が送信先端末にメッセージを送信していないことを示す。このように、変換サーバ２０は、送信元送信手段から送信されたメッセージの送信先送信手段による送信状況を、接続ＩＤを用いて管理できる。更に、送達既読管理データベース２２が、宛先毎に送信状況を保持することにより、変換サーバ２０は宛先毎に送信状況を管理できる。
【００３３】
ＴＯ（１）既読フラグ、ＴＯ（２）既読フラグのフィールドには、宛先毎にアクセス状況が格納される。ＴＯ（１）既読フラグ、ＴＯ（２）既読フラグのフィールドには、アクセス状況として「済」又は「未」が格納される。「済」は、送信先端末が送信元端末からのメッセージに含まれる情報にアクセスしたことを示し、「未」は、情報にアクセスしていないことを示す。このように、変換サーバ２０は、送信先端末による送信元端末からのメッセージに含まれる情報へのアクセス状況を、接続ＩＤを用いて管理できる。更に、送達既読管理データベース２２が、宛先毎にアクセス状況を保持することにより、変換サーバ２０は宛先毎にアクセス状況を管理できる。
【００３４】
ＵＲＬのフィールドには、各情報の格納先を示すＵＲＬアドレスが格納される。作成日時のフィールドには、メッセージに接続ＩＤが付与された日時が格納される。消去日時のフィールドには、接続ＩＤ及び接続ＩＤに対応付けられている情報が消去される日時が格納される。接続ＩＤには、有効期限が設定される。そして、その有効期限が切れると、送達既読管理データベース２２は、自動的にその接続ＩＤ及び接続ＩＤに対応付けられている情報を消去する。そのため、消去日時のフィールドには、その有効期限が切れる日時が格納される。これにより、いつまでも送信されないメッセージに関する情報を保持しておくことにより、送達既読管理データベース２２の容量が圧迫されることを防止できる。
【００３５】
ＭＭＳリレー／サーバインタフェース部２４は、ＭＭＳリレー／サーバ３０ｄとのインタフェースである。ＭＭＳリレー／サーバインタフェース部２４は、ＭＭＳ受信部２４ａと、ＭＭＳ送信部２４ｂとを備える。ＭＭＳ受信部２４ａは、送信元送信手段からメッセージを受信する受信手段として機能する。ＭＭＳ受信部２４ａは、ＭＭＳリレー／サーバ３０ｄから、ＭＭＳ端末３０ａが送信したメッセージを受信する。ＭＭＳ受信部２４ａは、受信したメッセージを、メッセージ／ＭＭＳ制御部２１に入力する。ＭＭＳ送信部２４ｂは、送信先端末が送信元端末からのメッセージに含まれる情報にアクセスしたことを通知する既読確認通知、送信先送信手段が送信先端末にメッセージを送信したことを通知する送達確認通知を、メッセージ／ＭＭＳ制御部２１から取得し、ＭＭＳリレー／サーバ３０ｄに送信する。
【００３６】
メッセージサーバインタフェース部２３は、メッセージサーバ１０ｄとのインタフェースである。メッセージサーバインタフェース部２３は、メッセージ受信部２３ａと、メッセージ送信部２３ｂとを備える。メッセージ受信部２３ａは、送信先送信手段から、メッセージを送信先端末に送信したことを通知するメッセージ送達通知を受信する送達通知受信手段として機能する。更に、メッセージ受信部２３ａは、送信先送信手段によるメッセージの送信に基づいて、保持手段に保持された送信状況を更新する更新手段としても機能する。具体的には、メッセージ受信部２３ａは、メッセージサーバ１０ｄから、ＵＲＬアドレスを含むメッセージを移動端末１０ａに送信したこと通知するメッセージ送達通知を受信する。メッセージ受信部２３ａは、メッセージサーバ１０ｄから、メッセージ送達通知を受信すると、送達既読管理データベース２２のＴＯ（１）送達フラグ、ＴＯ（２）送達フラグのフィールドに格納されている「未」を、「済」に更新する。即ち、メッセージ受信部２３ａは、メッセージ送達通知を受信し、実際にメッセージがメッセージサーバ１０ｄにより送信され、移動端末１０ａに届いたことを把握すると、送達既読管理データベース２２に保持された送信状況を更新する。
【００３７】
このようなメッセージ受信部２３ａによれば、変換サーバ２０は、メッセージサーバ１０ｄによるメッセージの実際の送信に基づいて、送達既読管理データベース２２に保持された送信状況を更新できる。よって、変換サーバ２０は、実際の送信状況に基づいて送達確認通知を行うことができる。例えば、移動端末１０ａが圏外に存在し、メッセージサーバ１０ｄがメッセージを送信できない間は、メッセージ受信部２３ａはメッセージ送達通知を受信しない。そのため、メッセージ受信部２３ａは、送達既読管理データベース２２を更新しない。よって、変換サーバ２０は、メッセージサーバ１０ｄがメッセージを送信していない場合に、送達確認通知を送信してしまうことを防止できる。
【００３８】
又、メッセージ受信部２３ａは、移動端末１０ａがＵＲＬ閲覧を行う際に、移動端末１０ａからＵＲＬアドレスを受信する。メッセージ受信部２３ａは、受信したＵＲＬアドレスをＷＷＷサーバ部２５に入力する。メッセージ送信部２３ｂは、ＭＭＳ端末３０ａからのメッセージに含まれる情報の格納先を示すＵＲＬアドレスを含むメッセージをメッセージ／ＭＭＳ制御部２１から取得し、メッセージサーバ１０ｄに送信する。又、メッセージ送信部２３ｂは、移動端末１０ａがＵＲＬ閲覧を行う際に、ＭＭＳ端末３０ａからのメッセージに含まれていた情報をＷＷＷサーバ部２５から取得し、移動端末１０ａに送信する。
【００３９】
ＷＷＷサーバ部２５には、ＭＭＳリレー／サーバ３０ｄが送信したＭＭＳ端末３０ａからのメッセージに含まれる情報が格納される。ＷＷＷサーバ部２５は、各情報の格納先を示すＵＲＬアドレスに対応付けて、情報を保持する。ＷＷＷサーバ部２５は、移動端末１０ａが格納先にアクセスすることにより、情報を移動端末１０ａに提供する。ＷＷＷサーバ部２５は、メッセージ受信部２３ａから、移動端末１０ａから受信したＵＲＬアドレスの入力を受ける。ＷＷＷサーバ部２５は、そのＵＲＬアドレスに対応付けられている情報をメッセージ送信部２３ｂに入力し、移動端末１０ａに提供する。
【００４０】
ＷＷＷサーバ部２５は、送信先端末による情報へのアクセスに基づいて、保持手段に保持されたアクセス状況を更新する更新手段としても機能する。ＷＷＷサーバ部２５は、移動端末１０ａが情報の格納先にアクセスしたか否かに基づいて、送達既読管理データベース２２を更新する。移動端末１０ａがＵＲＬ閲覧を行うと、即ち、移動端末１０ａがＵＲＬにアクセスし、ＷＷＷサーバ部２５が移動端末１０ａに情報を提供すると、ＷＷＷサーバ部２５は、送達既読管理データベース２２のＴＯ（１）既読フラグ、ＴＯ（２）既読フラグのフィールドに格納されている「未」を、「済」に更新する。このように変換サーバ２０にＭＭＳ端末３０ａからのメッセージに含まれる情報が格納され、変換サーバ２０が格納されている情報を移動端末１０ａに提供することにより、変換サーバ２０において、情報へのアクセス状況を容易に把握することができる。
【００４１】
メッセージ／ＭＭＳ制御部２１は、ＭＭＳリレー／サーバ３０ｄからメッセージが送信された際に、ＭＭＳ受信部２４ａから、ＭＭＳ端末３０ａからのメッセージを取得する。メッセージ／ＭＭＳ制御部２１は、取得したＭＭＳ端末３０ａからのメッセージに含まれる情報を、ＷＷＷサーバ部２５に格納する。メッセージ／ＭＭＳ制御部２１は、情報の格納先を示すＵＲＬアドレスに対応付けて、情報を格納する。
【００４２】
メッセージ／ＭＭＳ制御部２１は、取得したメッセージに接続ＩＤを付与する。メッセージ／ＭＭＳ制御部２１は、ＭＭＳリレー／サーバ３０ｄからメッセージが１通届く度に、メッセージに接続ＩＤを付与する。メッセージ／ＭＭＳ制御部２１は、接続ＩＤとして、ランダムな数字や記号、文字を付与してもよく、連続した数字や記号、文字を付与してもよい。又、メッセージ／ＭＭＳ制御部２１は、接続ＩＤを付与する際に、その接続ＩＤに有効期限を設定する。メッセージ／ＭＭＳ制御部２１は、有効期限が切れた接続ＩＤを、再度、他のメッセージに付与する。これにより、メッセージ／ＭＭＳ制御部２１は、接続ＩＤを再利用でき、接続ＩＤの枯渇を防止できる。尚、接続ＩＤの桁数は特に限定されない。例えば、桁数は、実装にあわせて定義できる。
【００４３】
このように、メッセージ／ＭＭＳ制御部２１は、送信元送信手段からメッセージが送信された際に、メッセージに、そのメッセージを識別する識別データを付与する付与手段として機能する。これにより、変換サーバ２０は、送信元送信手段であるＭＭＳリレー／サーバ３０ｄによるメッセージの送信と、送信先送信手段であるメッセージサーバ１０ｄによるメッセージの送信とを、接続ＩＤを用いて関連付けることができる。
【００４４】
メッセージ／ＭＭＳ制御部２１は、送達既読管理データベース２２の新しいレコードに付与した接続ＩＤを記録して、送達既読管理データベース２２に接続ＩＤを追加する。メッセージ／ＭＭＳ制御部２１は、追加した接続ＩＤのレコードの各フィールドに、そのメッセージに関する情報を記録する。これにより、メッセージ／ＭＭＳ制御部２１は、送達既読管理データベース２２に、接続ＩＤに対応付けてメッセージに関する情報を記録できる。
【００４５】
メッセージ／ＭＭＳ制御部２１は、送信元〔ＦＲＯＭ〕のフィールドに、メッセージの送信元を示す情報として、ＭＭＳ端末３０ａのユーザのアドレスや電話番号などを記録する。メッセージ／ＭＭＳ制御部２１は、宛先〔ＴＯ（１）〕、宛先〔ＴＯ（２）〕のフィールドに、メッセージの送信先を示す情報として、移動端末１０ａのユーザのアドレスや電話番号などを記録する。メッセージ／ＭＭＳ制御部２１は、ＴＯ（１）送達フラグ、ＴＯ（２）送達フラグのフィールドに、送信状況として「未」を記録する。メッセージ／ＭＭＳ制御部２１は、ＴＯ（１）既読フラグ、ＴＯ（２）既読フラグのフィールドに、アクセス状況として「未」を記録する。
【００４６】
メッセージ／ＭＭＳ制御部２１は、ＵＲＬのフィールドに、ＷＷＷサーバ部２５における情報の格納先を示すＵＲＬアドレスを記録する。メッセージ／ＭＭＳ制御部２１は、作成日時のフィールドに、メッセージに接続ＩＤを付与した日時を記録する。メッセージ／ＭＭＳ制御部２１は、消去日時のフィールドに、設定した有効期限が切れ、その接続ＩＤ及び接続ＩＤに対応付けられている情報が消去される日時を記録する。メッセージ／ＭＭＳ制御部２１は、例えば、ＷＷＷサーバ部２５が情報を保持しておく期間に基づいて、有効期限を設定できる。
【００４７】
メッセージ／ＭＭＳ制御部２１は、ＭＭＳリレー／サーバ３０ｄから受信したメッセージに関する情報の送達既読管理データベース２２への追加を完了すると、ＭＭＳリレー／サーバ３０ｄから受信した第２メッセージングシステム３０におけるメッセージを、第１メッセージングシステム１０におけるメッセージに変換する。メッセージ／ＭＭＳ制御部２１は、第２メッセージングシステム３０におけるメッセージを、メッセージに含まれている情報の格納先を示すＵＲＬアドレスを含む第１メッセージングシステム１０におけるメッセージに変換する。メッセージ／ＭＭＳ制御部２１は、第２メッセージングシステム３０におけるメッセージの送信元や送信先をそのまま、第１メッセージングシステム１０におけるメッセージの送信元や送信先とする。メッセージ／ＭＭＳ制御部２１は、変換後の第１メッセージングシステム１０におけるメッセージをメッセージ送信部２３ｂに入力する。
【００４８】
このようにして、メッセージ／ＭＭＳ制御部２１は、送信元端末からのメッセージを、そのメッセージに含まれている情報の格納先を含むメッセージに変換する変換手段として機能する。これによれば、変換サーバ２０は、ＭＭＳ端末３０ａからの情報を含むメッセージをそのままメッセージサーバ１０ｄに送信するのではなく、ＭＭＳ端末３０ａからのメッセージに含まれている情報が格納されているＵＲＬを含むメッセージに変換して、メッセージサーバ１０ｄに送信できる。よって、送信先送信手段であるメッセージサーバ１０ｄは、情報が格納されているＵＲＬを含むメッセージを、移動端末１０ａに送信できる。
【００４９】
メッセージ／ＭＭＳ制御部２１は、送達既読管理データベース２２にアクセスし、メッセージの送信状況を確認する。メッセージ／ＭＭＳ制御部２１は、例えば、予め定められた間隔で、定期的に送信状況を確認する。メッセージ／ＭＭＳ制御部２１は、ＴＯ（１）送達フラグ、ＴＯ（２）送達フラグのフィールドの送信状況が新たに「済」に更新されているメッセージを検出した場合には、メッセージサーバ１０ｄがメッセージを移動端末１０ａに送信したことをＭＭＳ端末３０ａに通知する送達確認通知を生成する。例えば、送達既読管理データベース２２が図３に示す状態の場合、メッセージ／ＭＭＳ制御部２１は、ＴＯ（１）送達フラグ、ＴＯ（２）送達フラグのフィールドが「済」に更新されている接続ＩＤが「３３３４５６７９」のメッセージの送達確認通知を生成する。メッセージ／ＭＭＳ制御部２１は、送信先を送信元〔ＦＯＲＭ〕のフィールドに格納されている「ｃｄｅ＠ｃｃｃ．ｃｏｍ」とし、送信先が宛先〔ＴＯ（１）〕及び宛先〔ＴＯ（２）〕のフィールドに格納されている「ｙｚｙｚ＠ｂｂｂ．ｃｏｍ」及び「ｚｚｚｚ＠ｂｂｂ．ｃｏｍ」へのメッセージの送信が完了したことを通知する送達確認通知を生成する。
【００５０】
メッセージ／ＭＭＳ制御部２１は、生成した送達確認通知をＭＭＳ送信部２４ｂに入力して、ＭＭＳ端末３０ａに送信する。このようにして、メッセージ／ＭＭＳ制御部２１は、保持手段に保持された送信状況に基づいて、送信先送信手段がメッセージを送信先端末に送信したことを送信元端末に通知する通知手段として機能する。そのため、変換サーバ２０は、メッセージサーバ１０ｄがメッセージを移動端末１０ａに送信したことを、送達既読管理データベース２２に保持された送信状況に基づいて、送信元端末であるＭＭＳ端末３０ａに容易に通知できる。
【００５１】
メッセージ／ＭＭＳ制御部２１は、送達既読管理データベース２２にアクセスし、メッセージに含まれる情報へのアクセス状況を確認する。メッセージ／ＭＭＳ制御部２１は、例えば、予め定められた間隔で、定期的にアクセス状況を確認する。メッセージ／ＭＭＳ制御部２１は、ＴＯ（１）既読フラグ、ＴＯ（２）既読フラグのフィールドのアクセス状況が新たに「済」に更新されているメッセージを検出した場合には、移動端末１０ａがメッセージに含まれる情報にアクセスしたことをＭＭＳ端末３０ａに通知する既読確認通知を生成する。例えば、送達既読管理データベース２２が図３に示す状態の場合、メッセージ／ＭＭＳ制御部２１は、ＴＯ（１）既読フラグのフィールドが「済」に更新されている接続ＩＤが「３３３４５６７９」のメッセージの既読確認通知を生成する。メッセージ／ＭＭＳ制御部２１は、送信先を送信元〔ＦＯＲＭ〕のフィールドに格納されている「ｃｄｅ＠ｃｃｃ．ｃｏｍ」とし、宛先〔ＴＯ（１）〕のフィールドに格納されているアドレスが「ｙｚｙｚ＠ｂｂｂ．ｃｏｍ」の移動端末１０ａによる情報へのアクセスが完了したことを通知する既読確認通知を生成する。
【００５２】
メッセージ／ＭＭＳ制御部２１は、生成した既読確認通知をＭＭＳ送信部２４ｂに入力して、ＭＭＳ端末３０ａに送信する。このようにして、メッセージ／ＭＭＳ制御部２１は、送信先端末による格納先へのアクセスに基づいて、送信先端末が送信元端末からのメッセージに含まれる情報にアクセスしたことを、送信元端末に通知する。そのため、ＭＭＳ端末３０ａに送信された情報を含むメッセージがそのまま移動端末１０ａに送信されるのではなく、その情報がＷＷＷサーバ部２５に格納され、その格納先を示すＵＲＬアドレスを含むメッセージに変換されて、メッセージサーバ１０ｄにより移動端末１０ａに送信される場合に、ＭＭＳ端末３０ａは、移動端末１０ａが格納先にアクセスして情報にアクセスしたことを確認できる。又、メッセージ／ＭＭＳ制御部２１は、保持手段に保持されたアクセス状況に基づいて、情報にアクセスしたことを送信元端末に通知する。そのため、変換サーバ２０は、移動端末１０ａがメッセージに含まれる情報にアクセスしたことを、送信元端末であるＭＭＳ端末３０ａに容易に通知できる。
【００５３】
更に、メッセージ／ＭＭＳ制御部２１は、送達既読管理データベース２２から、既読確認通知を送信したメッセージの送信先を示す情報を消去する。図３の場合、メッセージ／ＭＭＳ制御部２１は、接続ＩＤが「３３３４５６７９」のメッセージの宛先〔ＴＯ（１）〕のフィールドに格納されている「ｙｚｙｚ＠ｂｂｂ．ｃｏｍ」を消去する。メッセージ／ＭＭＳ制御部２１は、メッセージの送信先が１つの場合や、送信先が複数あっても、既読確認通知を送信したメッセージの送信先が、そのメッセージの最後の送信先の場合には、接続ＩＤ及びその接続ＩＤに対応付けられている情報を全て消去する。
【００５４】
尚、移動端末１０ａが送信元端末、ＭＭＳ端末３０ａが送信先端末となる場合には、メッセージ受信部２３ａは、移動端末１０ａからＭＭＳ端末３０ａへのメッセージを受信する。メッセージ受信部２３ａは、受信したメッセージを、メッセージ／ＭＭＳ制御部２１に入力する。メッセージ／ＭＭＳ制御部２１は、取得した第１メッセージングシステム１０におけるメッセージを、第２メッセージングシステム３０におけるメッセージに変換してＭＭＳ送信部２４ｂに入力する。
ＭＭＳ送信部２４ｂは、移動端末１０ａからＭＭＳ端末３０ａへのメッセージをＭＭＳリレー／サーバ３０ｄに送信する。
【００５５】
〔通信方法〕
図４を用い、図１に示す通信システム１を用いて行う通信方法を説明する。図４では、ＭＭＳ端末３０ａが送信元端末、移動端末１０ａが送信先端末である場合を例にとって説明する。ＭＭＳ端末３０ａが、ＭＭＳリレー／サーバ３０ｄに、移動端末１０ａへのメッセージの送信を要求する送信要求（ＭＭ１＿ｓｕｂｍｉｔ．ＲＥＱ）を送信する（Ｓ１０１）。送信要求にはメッセージが含まれる。このとき、ＭＭＳ端末３０ａは、送達確認通知を行うようＭＭＳリレー／サーバ３０ｄに要求する。移動端末１０ａへのメッセージは、ＭＭＳリレー／サーバ３０ｄに一度蓄積される（Ｓ１０２）。ＭＭＳリレー／サーバ３０ｄは、ＭＭＳ端末３０ａに、送信要求を受信したことを通知する送信応答（ＭＭ１＿Ｍ＿ｓｕｂｍｉｔ．ＲＥＳ）を送信する（Ｓ１０３）。
【００５６】
ＭＭＳリレー／サーバ３０ｄは、変換サーバ２０に、メッセージの移動端末１０ａへの転送を要求する転送要求（ＭＭ４＿Ｆｏｒｗａｒｄ．ＲＥＱ）を送信する（Ｓ１０４）。転送要求にはメッセージが含まれる。変換サーバ２０は、まず、転送要求を受信したことをＭＭＳリレー／サーバ３０ｄに通知する（Ｓ１０５）。更に、変換サーバ２０は、メッセージを受信し、転送を了承したことを通知する転送応答（ＭＭ４＿Ｆｏｒｗａｒｄ．ＲＥＳ）をＭＭＳリレー／サーバ３０ｄに送信する（Ｓ１０６）。ＭＭＳリレー／サーバ３０ｄは、転送応答を受信したことを変換サーバ２０に通知する（Ｓ１０７）。
【００５７】
変換サーバ２０のメッセージ／ＭＭＳ制御部２１は、ＭＭＳリレー／サーバ３０ｄから受信したメッセージに含まれる情報を、ＷＷＷサーバ部２５に格納する。又、メッセージ／ＭＭＳ制御部２１は、メッセージに接続ＩＤを付与する。メッセージ／ＭＭＳ制御部２１は、送達既読管理データベース２２に接続ＩＤ及びメッセージに関する情報を記録する（Ｓ１０８）。変換サーバ２０は、受信したメッセージを情報の格納先を示すＵＲＬアドレスを含むメッセージに変換して、メッセージサーバ１０ｄに送信する。これにより、変換サーバ２０は、移動端末１０ａへメッセージが届いていることを通知する着信通知を行う（Ｓ１０９）。
メッセージサーバ１０ｄは、メッセージを受信したことを変換サーバ２０に通知する（Ｓ１１０）。移動端末１０ａへのメッセージは、メッセージサーバ１０ｄに一度蓄積される（Ｓ１１１）。
【００５８】
メッセージサーバ１０ｄは、移動端末１０ａに、メッセージが届いていることを知らせる着信通知（Ｍｅｓｓａｇｅ  Ｎｏｔｉｆｉｃａｔｉｏｎ）を送信する（Ｓ１１２）。着信通知を受信した移動端末１０ａは、メッセージを受信したい旨を通知するメッセージ受信要求（ＨＴＴＰ  ＧＥＴ）を、メッセージサーバ１０ｄに送信する（Ｓ１１３）。メッセージサーバ１０ｄは、ＭＭＳ端末３０ａからの情報の格納先を示すＵＲＬアドレスを含むメッセージを、移動端末１０ａに送信する（Ｓ１１４）。そして、メッセージサーバ１０ｄは、変換サーバ２０に、メッセージを移動端末１０ａに送信したことを通知するメッセージ送達通知を送信する（Ｓ１１５）。変換サーバ２０は、メッセージ送達通知を受信したことをメッセージサーバ１０ｄに通知する（Ｓ１１６）。
【００５９】
メッセージ送達通知を受信した変換サーバ２０は、送達既読管理データベース２２に保持されている送信状況を更新する。そして、変換サーバ２０は、メッセージを移動端末１０ａに送信したことをＭＭＳ端末３０ａに通知する送達確認通知を生成する。変換サーバ２０は、ＭＭＳリレー／サーバ３０ｄに、生成した送達確認通知（ＭＭ４＿ｄｅｌｉｖｅｒｙ＿ｒｅｐｏｒｔ．ＲＥＱ）を送信する（Ｓ１１７）。このように変換サーバ２０は、実際にメッセージがメッセージサーバ１０ｄにより送信され、移動端末１０ａに届くと、送達確認通知を送信する。ＭＭＳリレー／サーバ３０ｄは、送達確認通知を受信したことを通知する送達確認通知応答（ＭＭ４＿ｄｅｌｉｖｅｒｙ＿ｒｅｐｏｒｔ．ＲＥＳ）を変換サーバ２０に送信する（Ｓ１１８）。そして、ＭＭＳリレー／サーバ３０ｄは、送達確認通知（ＭＭ１＿ｄｅｌｉｖｅｒｙ＿ｒｅｐｏｒｔ．ＲＥＱ）を、ＭＭＳ端末３０ａに送信する（Ｓ１１９）。ＭＭＳ端末３０ａは、送達確認通知を受信することにより、送達確認を行うことができる。
【００６０】
一方、ステップ（Ｓ１１４）においてメッセージを受信した移動端末１０ａは、ＵＲＬ閲覧のための処理、ＵＲＬ閲覧操作を行う。ＵＲＬ閲覧操作としては、例えば、受信したメッセージに含まれるＵＲＬアドレスを表示し、ウェブブラウザを起動すること等が行われる（Ｓ１２０）。移動端末１０ａは、情報の格納先を示すＵＲＬアドレスにアクセスして、情報にアクセスしたい旨を通知するＵＲＬ閲覧要求（ＨＴＴＰ  ＧＥＴ）を、変換サーバ２０に送信する（Ｓ１２１）。変換サーバ２０は、ＵＲＬ閲覧要求により指定されたＵＲＬアドレスに格納されている情報を、移動端末１０ａに提供する（Ｓ１２２）。
【００６１】
移動端末１０ａによるＵＲＬ閲覧を受けた変換サーバ２０は、送達既読管理データベース２２に保持されているアクセス状況を更新する。そして、変換サーバ２０は、移動端末１０ａがメッセージに含まれる情報にアクセスしたことをＭＭＳ端末３０ａに通知する既読確認通知を生成する。変換サーバ２０は、ＭＭＳリレー／サーバ３０ｄに、生成した既読確認通知（ＭＭ４＿ｒｅａｄ＿ｒｅｐｌｙ＿ｒｅｐｏｒｔ．ＲＥＱ）を送信する（Ｓ１２３）。ＭＭＳリレー／サーバ３０ｄは、既読確認通知を受信したことを通知する既読確認通知応答（ＭＭ４＿ｒｅａｄ＿ｒｅｐｌｙ＿ｒｅｐｏｒｔ．ＲＥＳ）を変換サーバ２０に送信する（Ｓ１２４）。そして、ＭＭＳリレー／サーバ３０ｄは、既読確認通知（ＭＭ１＿ｒｅａｄ＿ｒｅｐｌｙ＿ｏｒｉｇｉｎａｔｏｒ．ＲＥＱ）を、ＭＭＳ端末３０ａに送信する（Ｓ１２５）。ＭＭＳ端末３０ａは、既読確認通知を受信することにより、既読確認を行うことができる。
【００６２】
〔効果〕
このような通信システム１、変換サーバ２０及び通信方法によれば、送信元端末であるＭＭＳ端末３０ａがＭＭＳリレー／サーバ３０ｄに送信したメッセージが、送信先端末である移動端末１０ａにメッセージを送信するメッセージサーバ１０ｄにより移動端末１０ａに送信されたことを、メッセージ／ＭＭＳ制御部２１がＭＭＳ端末３０ａに通知できる。そのため、複数のシステム、第１メッセージングシステム１０と第２メッセージングシステム３０が接続され、送信元送信手段であるＭＭＳリレー／サーバ３０ｄと送信先送信手段であるメッセージサーバ１０ｄが同一のシステムに設けられていない場合であっても、ＭＭＳ端末３０ａは、ＭＭＳリレー／サーバ３０ｄに送信したメッセージが、メッセージサーバ１０ｄによって移動端末１０ａに送信されたことを確認する送達確認を行うことができる。
【００６３】
更に、メッセージ／ＭＭＳ制御部２１は、送信先端末である移動端末１０ａが送信元端末であるＭＭＳ端末３０ａからのメッセージに含まれる情報にアクセスしたことを、送信元端末であるＭＭＳ端末３０ａに通知する。そのため、複数のシステム、第１メッセージングシステム１０と第２メッセージングシステム３０が接続され、送信元端末であるＭＭＳ端末３０ａと送信先端末である移動端末１０ａが同一のシステムに存在しない場合であっても、ＭＭＳ端末３０ａはＭＭＳリレー／サーバ３０ｄに送信したメッセージに含まれる情報に、移動端末１０ａがアクセスしたことを確認する既読確認を行うことができる。
【００６４】
よって、通信システム１のサービスを向上できる。又、送達確認や既読確認を行う機能を備えている第２メッセージングシステム３０と、送達確認や既読確認を行う機能を備えていない第１メッセージングシステム１０とを接続した場合であっても、送達確認や既読確認を行うことができ、第２メッセージングシステム３０の送達確認や既読確認を行う機能を活かすことができる。
【００６５】
［第２の実施の形態］
〔通信システム〕
図５に示すように、通信システム２は、第１メッセージングシステム５０と、第２メッセージングシステム３０とを備える。通信システム２は、複数のシステム、第１メッセージングシステム５０と第２メッセージングシステム３０とを接続した通信システムである。第１メッセージングシステム５０は、移動通信サービスを行う。第１メッセージングシステム５０は、移動端末１０ａと、無線基地局１０ｂと、移動通信パケット通信網１０ｃと、メッセージ／変換サーバ４０とを備える。図５に示す第２メッセージングシステム３０は、図１に示した第２メッセージングシステム３０と同様である。
【００６６】
メッセージ／変換サーバ４０は、図１に示したメッセージサーバ１０ｄとして機能する。更に、メッセージ／変換サーバ４０は、送信先送信手段による送信先端末へのメッセージの送信状況を管理し、送信先送信手段がメッセージを送信先端末に送信したことを送信元端末に通知する。又、メッセージ／変換サーバ４０は、送信先送信手段により送信されたメッセージに含まれる情報への送信先端末によるアクセス状況を管理し、送信先端末がメッセージに含まれる情報にアクセスしたことを送信元端末に通知する。更に、メッセージ／変換サーバ４０は、ＭＭＳ端末３０ａと移動端末１０ａとの間のメッセージの送受信を中継する。このように、メッセージ／変換サーバ４０は、メッセージサーバと変換サーバとが一体型となったサーバである。
【００６７】
ＭＭＳ端末３０ａが送信元端末、移動端末１０ａが送信先端末となる場合には、図１と同様に、ＭＭＳリレー／サーバ３０ｄが、送信元端末から送信されたメッセージを送信する送信元送信手段となり、ＭＭＳ端末３０ａから移動端末１０ａへのメッセージをメッセージ／変換サーバ４０に送信する。メッセージ／変換サーバ４０は、送信先送信手段を備え、受信したメッセージを第１メッセージングシステム５０におけるメッセージに変換して、移動パケット通信網１０ｃ、無線基地局１０ｂを介して移動端末１０ａに送信する。メッセージ／変換サーバ４０は、第１メッセージングシステム５０におけるメッセージとして、例えば、ｉ−ｍｏｄｅ（登録商標）メールを送信することができる。
【００６８】
そして、メッセージ／変換サーバ４０が、メッセージ／変換サーバ４０の送信先送信手段が、メッセージを送信先端末である移動端末１０ａに送信したことを、送信元端末であるＭＭＳ端末３０ａに通知する。メッセージ／変換サーバ４０は、ＭＭＳリレー／サーバ３０ｄに、送信先送信手段が送信先端末にメッセージを送信したことを通知する送達確認通知を送信することにより、ＭＭＳ端末３０ａに通知を行う。
【００６９】
移動端末１０ａは、受信したメッセージに含まれる情報にアクセスする。移動端末１０ａは、メッセージに含まれる情報にアクセスしたことを示す既読信号を、メッセージ／変換サーバ４０に送信する。そして、メッセージ／変換サーバ４０が、既読信号を受信し、送信先端末である移動端末１０ａが、送信元端末であるＭＭＳ端末３０ａから送信されたメッセージに含まれる情報にアクセスしたことを、送信元端末であるＭＭＳ端末３０ａに通知する。メッセージ／変換サーバ４０は、ＭＭＳリレー／サーバ３０ｄに、送信先端末が送信元送信手段からのメッセージに含まれる情報にアクセスしたことを通知する既読確認通知を送信することにより、ＭＭＳ端末３０ａに通知を行う。
【００７０】
移動端末１０ａが送信元端末、ＭＭＳ端末３０ａが送信先端末となる場合には、図１と同様に、無線基地局１０ｂが、移動端末１０ａからメッセージを受信する。そして、無線基地局１０ｂは、移動パケット通信網１０ｃを介してメッセージを、メッセージ／変換サーバ４０に送信する。メッセージ／変換サーバ４０は送信元送信手段となり、移動端末１０ａからのメッセージをＭＭＳリレー／サーバ３０ｄに送信する。ＭＭＳリレー／サーバ３０ｄは、図１と同様に、送信先送信手段となり、受信したメッセージをＭＭＳ端末３０ａに送信する。
【００７１】
〔メッセージ／変換サーバ〕
メッセージ／変換サーバ４０は、図６に示すように、メッセージ／ＭＭＳ制御部４１と、送達既読管理データベース４２と、網インタフェース部４３と、メッセージ制御部４４と、メッセージ保持部４５と、ＭＭＳリレー／サーバインタフェース部２４とを備える。図６に示すＭＭＳリレー／サーバインタフェース部２４は、図２に示したＭＭＳリレー／サーバインタフェース部２４と同様である。
【００７２】
図６では、ＭＭＳ端末３０ａが送信元端末、移動端末１０ａが送信先端末、ＭＭＳリレー／サーバ３０が、送信元端末であるＭＭＳ端末３０ａから送信されたメッセージを送信する送信元送信手段である場合を例にとって説明する。又、図６中、実線の矢印は、ＭＭＳ端末３０ａからメッセージが送信された時の処理の経路を示し、一点鎖線の矢印は、送達確認を行うときの処理の経路を示し、点線の矢印は、既読確認を行う時の処理の経路を示す。
【００７３】
送達既読管理データベース４２は、送信先送信手段によるメッセージの送信状況を保持する保持手段である。又、送達既読管理データベース４２は、送信先端末による送信元端末からのメッセージに含まれる情報へのアクセス状況も保持する。図７に示すように、送達既読管理データベース４２は、接続ＩＤ、送信元〔Ｆｒｏｍ〕、宛先〔ＴＯ（１）〕、ＴＯ（１）メッセージ管理番号、ＴＯ（１）送達フラグ、ＴＯ（１）既読フラグ、宛先〔ＴＯ（２）〕、ＴＯ（２）メッセージ管理番号、ＴＯ（２）送達フラグ、ＴＯ（２）既読フラグ、作成日時、消去日時のフィールドを備える。接続ＩＤ、送信元〔ＦＲＯＭ〕、宛先〔ＴＯ（１）〕、宛先〔ＴＯ（２）〕、ＴＯ（１）送達フラグ、ＴＯ（２）送達フラグ、ＴＯ（１）既読フラグ、ＴＯ（２）既読フラグ、作成日時、消去日時のフィールドは、図３に示した送達既読管理データベース２２と同様である。
【００７４】
ＴＯ（１）メッセージ管理番号、ＴＯ（２）メッセージ管理番号のフィールドには、宛先毎にメッセージ管理番号が格納される。メッセージ管理番号は、メッセージを送信先毎に識別する管理データである。メッセージ管理番号は、第１メッセージングシステム５０においてメッセージを管理するために用いられる。メッセージ管理番号は、送信先毎にメッセージを識別でき、かつ、１つの送信先への複数のメッセージを識別できるように付与される。例えば、メッセージ管理番号は、送信先のユーザの電話番号部分と、そのユーザへのメッセージが何件目であるかを示す件数部分との組み合わせで表すことができる。図７に示すように、電話番号「１２３４５６７８８」、「１２３４５６７８９」と、件数「ＸＩＤ」とを組み合わせたメッセージ管理番号「１２３４５６７８８ＸＩＤ」、「１２３４５６７８９ＸＩＤ」を用いることができる。件数部分「ＸＩＤ」は、例えば、０００〜９９９の値をとることができる。この場合には、１つの電話番号に対して１０００件のメッセージを識別し、管理できる。ＴＯ（１）メッセージ管理番号、ＴＯ（２）メッセージ管理番号のフィールドには、宛先毎にメッセージ管理番号が格納される。
【００７５】
網インタフェース部４３は、移動パケット通信網１０ｃとのインタフェースである。網インタフェース部４３は、メッセージ受信部４３ａと、メッセージ送信部４３ｂとを備える。メッセージ受信部４３ａは、移動端末１０ａから、メッセージを受信したい旨を通知するメッセージ受信要求を受信する。メッセージ受信要求には、メッセージ管理番号の件数部分「ＸＩＤ」が含まれる。メッセージ受信部４３ａは、受信したメッセージ受信要求を、メッセージ制御部４４に入力する。メッセージ受信部４３ａは、送信先端末から、情報にアクセスしたことを示す既読信号を受信する既読信号受信手段としても機能する。そのため、メッセージ／変換サーバ４０は、送信先端末である移動ノード１０ａから既読信号を受信できる。メッセージ受信部４３ａは、受信した既読信号をメッセージ制御部４４に入力する。
【００７６】
メッセージ送信部４３ｂは、送信元送信手段が送信したメッセージを送信先端末に送信する送信先送信手段である。メッセージ送信部４３ｂは、ＭＭＳ端末３０ａからのメッセージをメッセージ制御部４４から取得し、移動端末１０ａにメッセージを送信する。メッセージ送信部４３ｂは、メッセージとともに、メッセージ管理番号の件数部分「ＸＩＤ」も送信する。メッセージ送信部４３ｂは、メッセージを送信すると、送信したことをメッセージ制御部４４に通知する。
【００７７】
メッセージ制御部４４は、ＭＭＳリレー／サーバ３０ｄが送信したＭＭＳ端末３０ａからのメッセージと、そのメッセージ管理番号を、メッセージ／ＭＭＳ制御部４１から取得する。メッセージ制御部４４は、取得したメッセージを、メッセージ管理番号に対応付けてメッセージ保持部４５に格納する。メッセージ保持部４５は、メッセージを保持するメッセージ保持手段である。メッセージ保持部４５は、メッセージ管理番号に対応付けてメッセージを保持する。
【００７８】
メッセージ制御部４４は、メッセージ受信部４３ａから、メッセージ受信要求を取得する。メッセージ制御部４４は、メッセージ受信要求を送信してきた移動端末１０ａの電話番号と、メッセージ受信要求に含まれるメッセージ管理番号の件数部分「ＸＩＤ」とを組み合わせて、メッセージ管理番号を生成する。メッセージ制御部４４は、メッセージ保持部４５から、生成したメッセージ管理番号に該当するメッセージを取得する。メッセージ制御部４４は、取得したメッセージをメッセージ送信部４３ｂに入力する。このようにして、網インタフェース部４３と、メッセージ制御部４４と、メッセージ保持部４５は、図１に示したメッセージサーバ１０ｄとしての機能を果たす。
【００７９】
更に、メッセージ制御部４４は、送信先送信手段によるメッセージの送信に基づいて、保持手段の送信状況を更新する更新手段としても機能する。メッセージ制御部４４は、メッセージ送信部４３ｂから、メッセージの送信の通知を受ける。メッセージ制御部４４は、メッセージ送信部４３ｂから送信の通知を受けると、送達既読管理データベース４２のＴＯ（１）送達フラグ、ＴＯ（２）送達フラグのフィールドに格納されている「未」を、「済」に更新する。このように、メッセージ／変換サーバ４０がメッセージ送信部４３ｂ、メッセージ制御部４４、メッセージ保持部４５を備え、メッセージ／変換サーバ４０がメッセージを送信することにより、メッセージ／変換サーバ２４０において、メッセージの送信状況を容易に把握することができる。
【００８０】
又、メッセージ制御部４４は、メッセージ受信部４３ａによる既読信号の受信に基づいて、保持手段の情報へのアクセス状況も更新する。メッセージ制御部４４は、メッセージ受信部４３ａから既読信号を取得する。既読信号には、メッセージ管理番号の件数部分「ＸＩＤ」が含まれる。メッセージ制御部４４は、既読信号を送信してきた移動端末１０ａの電話番号と、既読信号に含まれるメッセージ管理番号の件数部分「ＸＩＤ」とを組み合わせて、メッセージ管理番号を生成する。メッセージ制御部４４は、生成したメッセージ管理番号に対応する送達既読管理データベース４２のＴＯ（１）既読フラグ、ＴＯ（２）既読フラグのフィールドに格納されている「未」を、「済」に更新する。
【００８１】
メッセージ／ＭＭＳ制御部４１は、ＭＭＳリレー／サーバ３０ｄからメッセージが送信された際に、ＭＭＳ受信部２４ａから、ＭＭＳ端末３０ａからのメッセージを取得する。メッセージ／ＭＭＳ制御部４１は、取得したＭＭＳ端末３０ａからのメッセージに接続ＩＤを付与する。メッセージ／ＭＭＳ制御部４１は、図２に示したメッセージ／ＭＭＳ制御部２１と同様にして、接続ＩＤを付与することができる。
【００８２】
メッセージ／ＭＭＳ制御部４１は、送達既読管理データベース４２の新しいレコードに付与した接続ＩＤを記録して、送達既読管理データベース４２に接続ＩＤを追加する。メッセージ／ＭＭＳ制御部４１は、追加した接続ＩＤのレコードの各フィールドに、そのメッセージに関する情報を記録する。メッセージ／ＭＭＳ制御部４１は、図２に示したメッセージ／ＭＭＳ制御部２１と同様にして、送信元〔ＦＲＯＭ〕、宛先〔ＴＯ（１）〕、宛先〔ＴＯ（２）〕、ＴＯ（１）送達フラグ、ＴＯ（２）送達フラグ、ＴＯ（１）既読フラグ、ＴＯ（２）既読フラグ、作成日時、消去日時のフィールドに、情報を記録する。尚、メッセージ／ＭＭＳ制御部４１は、例えば、メッセージ保持部４５がメッセージを保持しておく期間に基づいて、有効期限を設定できる。
【００８３】
更に、メッセージ／ＭＭＳ制御部４１は、メッセージにメッセージ管理番号を付与する。メッセージ／ＭＭＳ制御部４１は、宛先毎にメッセージ管理番号を付与する。そして、メッセージ／ＭＭＳ制御部４１は、ＴＯ（１）メッセージ管理番号、ＴＯ（２）メッセージ管理番号のフィールドに、宛先毎のメッセージ管理番号を記録する。
【００８４】
このようにメッセージ／ＭＭＳ制御部４１が、接続ＩＤとメッセージ管理番号とを対応付けて、送達既読管理データベース４２に記録し、送達既読管理データベース４２が、接続ＩＤとメッセージ管理番号とを対応付けて保持する。そのため、メッセージ／変換サーバ４０は、送信元送信手段であるＭＭＳリレー／サーバ３０ｄにより送信されたメッセージに付与した接続ＩＤと、送信先送信手段であるメッセージ送信部４３ｂが送信する送信先毎にメッセージに付与したメッセージ管理番号とを関連付けることができる。その結果、メッセージ／変換サーバ４０は、送信元送信手段であるＭＭＳリレー／サーバ３０ｄによるメッセージの送信と、送信先送信手段であるメッセージ送信部４３ｂによるメッセージの送信先毎の送信とを、接続ＩＤとメッセージ管理番号を用いて関連付け、管理することができる。しかも、メッセージサーバと変換サーバとを一体化したメッセージ／変換サーバ４０とすることにより、メッセージサーバがメッセージの管理に用いているメッセージ管理番号と、接続ＩＤとの関連づけを容易に行うことができる。
【００８５】
メッセージ／ＭＭＳ制御部４１は、ＭＭＳリレー／サーバ３０ｄから受信したメッセージに関する情報の送達既読管理データベース４２への追加を完了すると、取得した第２メッセージングシステム３０におけるメッセージを、第１メッセージングシステム５０におけるメッセージに変換する。尚、メッセージ／ＭＭＳ制御部４１は、第２メッセージングシステム３０におけるメッセージの送信元や送信先をそのまま、第１メッセージングシステム１０におけるメッセージの送信元や送信先とし、第２メッセージングシステム３０におけるメッセージに含まれる情報もそのまま第１メッセージングシステム５０におけるメッセージに含まれるようにする。メッセージ／ＭＭＳ制御部２１は、変換後のメッセージをメッセージ制御部４４に入力する。このとき、メッセージ／ＭＭＳ制御部４１は、メッセージと、そのメッセージに付与したメッセージ管理番号とを対応付けてメッセージ制御部４４に入力する。
【００８６】
メッセージ／ＭＭＳ制御部４１は、送達既読管理データベース４２にアクセスし、メッセージの送信状況を確認する。メッセージ／ＭＭＳ制御部４１は、ＴＯ（１）送達フラグ、ＴＯ（２）送達フラグのフィールドの送信状況が新たに「済」に更新されているメッセージを検出した場合には、メッセージ送信部４３ｂが情報を含むメッセージを、移動端末１０ａに送信したことをＭＭＳ端末３０ａに通知する送達確認通知を生成する。例えば、送達既読管理データベース４２が図７に示す状態の場合、メッセージ／ＭＭＳ制御部４１は、ＴＯ（１）送達フラグ及びＴＯ（２）送達フラグのフィールドが「済」に更新されている接続ＩＤが「３３３４５６７９」のメッセージの送達確認通知を生成する。
【００８７】
メッセージ／ＭＭＳ制御部４１は、送信先を送信元〔ＦＯＲＭ〕のフィールドに格納されている「ｃｄｅ＠ｃｃｃ．ｃｏｍ」とし、送信先が宛先〔ＴＯ（１）〕のフィールドに格納されている「ｙｚｙｚ＠ｂｂｂ．ｃｏｍ」及び宛先〔ＴＯ（２）〕のフィールドに格納されている「ｚｚｚｚ＠ｂｂｂ．ｃｏｍ」へのメッセージの送信が完了したことを通知する送達確認通知を生成する。メッセージ／ＭＭＳ制御部４１は、生成した送達確認通知をＭＭＳ送信部２４ｂに入力して、ＭＭＳ端末３０ａに送信する。
【００８８】
このようにして、メッセージ／ＭＭＳ制御部２１は、保持手段に保持された送信状況に基づいて、送信先送信手段がメッセージを送信先端末に送信したことを送信元端末に通知する通知手段として機能する。そのため、メッセージ／変換サーバ４０は、メッセージサーバ１０ｄがメッセージを移動端末１０ａに送信したことを、送達既読管理データベース４２に保持された送信状況に基づいて、送信元端末であるＭＭＳ端末３０ａに容易に通知できる。
【００８９】
メッセージ／ＭＭＳ制御部４１は、送達既読管理データベース４２にアクセスし、メッセージに含まれる情報へのアクセス状況を確認する。メッセージ／ＭＭＳ制御部４１は、ＴＯ（１）既読フラグ、ＴＯ（２）既読フラグのフィールドのアクセス状況が新たに「済」に更新されているメッセージを検出した場合には、移動端末１０ａがメッセージに含まれる情報にアクセスしたことをＭＭＳ端末３０ａに通知する既読確認通知を生成する。例えば、送達既読管理データベース４２が図７に示す状態の場合、メッセージ／ＭＭＳ制御部４１は、ＴＯ（１）既読フラグのフィールドが「済」に更新されている接続ＩＤが「３３３４５６７９」のメッセージの既読確認通知を生成する。メッセージ／ＭＭＳ制御部４１は、送信先を送信元〔ＦＯＲＭ〕のフィールドに格納されている「ｃｄｅ＠ｃｃｃ．ｃｏｍ」とし、宛先〔ＴＯ（１）〕のフィールドに格納されているアドレスが「ｙｚｙｚ＠ｂｂｂ．ｃｏｍ」の移動端末１０ａによる情報へのアクセスが完了したことを通知する既読確認通知を生成する。メッセージ／ＭＭＳ制御部４１は、生成した既読確認通知をＭＭＳ送信部４４ｂに入力して、ＭＭＳ端末３０ａに送信する。
【００９０】
このようにして、メッセージ／ＭＭＳ制御部４１は、メッセージ受信部４３ａによる既読信号の受信に基づいて、送信先端末が送信元端末からのメッセージに含まれる情報にアクセスしたことを、送信元端末に通知する。そのため、メッセージ／変換サーバ４０は、移動端末１０ａがメッセージに含まれる情報にアクセスしたことを、送信元端末であるＭＭＳ端末３０ａに容易に通知できる。
【００９１】
更に、メッセージ／ＭＭＳ制御部４１は、送達既読管理データベース４２から、既読確認通知を送信したメッセージの送信先を示す情報を消去する。図７の場合、メッセージ／ＭＭＳ制御部４１は、接続ＩＤが「３３３４５６７９」のメッセージの宛先〔ＴＯ（１）〕のフィールドに格納されている「ｙｚｙｚ＠ｂｂｂ．ｃｏｍ」を消去する。メッセージ／ＭＭＳ制御部４１は、メッセージの送信先が１つの場合や、送信先が複数あっても、既読確認通知を送信したメッセージの送信先が、そのメッセージの最後の送信先の場合には、接続ＩＤ及びその接続ＩＤに対応付けられている情報を全て消去する。
【００９２】
尚、移動端末１０ａが送信元端末、ＭＭＳ端末３０ａが送信先端末となる場合には、メッセージ受信部４３ａは、移動端末１０ａからＭＭＳ端末３０ａへのメッセージを受信する。メッセージ受信部４３ａは、受信したメッセージを、メッセージ／ＭＭＳ制御部４１に入力する。メッセージ／ＭＭＳ制御部４１は、取得したメッセージをＭＭＳ送信部２４ｂに入力する。
【００９３】
〔移動端末〕
図８に示すように、移動端末１０ａは、通信部１１と、制御部１２と、記憶部１３と、入力部１４と、出力部１５とを備える。通信部１１は、メッセージを受信する受信手段である。又、通信部１１は、受信したメッセージに含まれる情報にアクセスしたことを示す既読信号を送信する送信手段としても機能する。通信部１１は、メッセージ／変換サーバ４０からメッセージとメッセージ管理番号の件数部分「ＸＩＤ」を受信し、制御部１２に入力する。通信部１１は、制御部１２から既読信号を取得し、メッセージ／変換サーバ４０に送信する。
【００９４】
制御部１２は、通信部１１からメッセージとメッセージ管理番号の件数部分を取得し、記憶部１３に格納する。入力部１４は、ユーザ操作を制御部１２に入力する。制御部１２は、入力部１４から、受信したメッセージに含まれる情報へのアクセスを指示するユーザ操作の入力を受ける。そして、制御部１２は、記憶部１３に格納されているメッセージに含まれる情報にアクセスし、出力部１５に出力する。出力部１５は、情報を音声や文字、画像として出力する。
【００９５】
制御部１２は、このようにしてメッセージに含まれる情報にアクセスした場合には、メッセージ管理番号の件数部分を含む既読信号を生成して、通信部１１に入力する。又、制御部１２は、記憶部１３に記憶されているメッセージ、メッセージ管理番号の件数部分と対応付けて、そのメッセージの既読信号をメッセージ／変換サーバ４０に送信済みであることを記録する。記憶部１３は、メッセージ、そのメッセージ管理番号の件数部分や既読信号の送信状況を記憶する。このようにして、移動端末１０ａは、メッセージに含まれる情報にアクセスしたことを契機として、既読信号をメッセージ／変換サーバ４０に送信する。
【００９６】
〔通信方法〕
図９を用い、図５に示す通信システム２を用いて行う通信方法を説明する。図９では、ＭＭＳ端末３０ａが送信元端末、移動端末１０ａが送信先端末である場合を例にとって説明する。ステップ（Ｓ２０１）〜（Ｓ２０３）は、図４に示したステップ（Ｓ１０１）〜（Ｓ１０３）と同様である。ステップ（Ｓ２０３）に続いて、ＭＭＳリレー／サーバ３０ｄは、メッセージ／変換サーバ４０に、メッセージの移動端末１０ａへの転送を要求する転送要求（ＭＭ４＿Ｆｏｒｗａｒｄ．ＲＥＱ）を送信する（Ｓ２０４）。転送要求にはメッセージが含まれる。メッセージ／変換サーバ４０は、まず、転送要求を受信したことをＭＭＳリレー／サーバ３０ｄに通知する（Ｓ２０５）。更に、メッセージ／変換サーバ４０は、メッセージを受信し、転送を了承したことを通知する転送応答（ＭＭ４＿Ｆｏｒｗａｒｄ．ＲＥＳ）をＭＭＳリレー／サーバ３０ｄに送信する（Ｓ２０６）。ＭＭＳリレー／サーバ３０ｄは、転送応答を受信したことをメッセージ／変換サーバ４０に通知する（Ｓ２０７）。
【００９７】
メッセージ／変換サーバ４０のメッセージ／ＭＭＳ制御部４１は、受信したメッセージに接続ＩＤ、メッセージ管理番号を付与する。メッセージ／ＭＭＳ制御部４１は、送達既読管理データベース４２に接続ＩＤ及びメッセージに関する情報を記録する。更に、メッセージ／ＭＭＳ制御部４１は、第２メッセージングシステム３０におけるメッセージを、第１メッセージングシステム５０におけるメッセージに変換し、メッセージ制御部４４に入力する。メッセージ制御部４４は、メッセージをメッセージ管理番号に対応付けてメッセージ保持部４５に格納する。これにより、メッセージがメッセージ／変換サーバ４０に一度蓄積される（Ｓ２０８）。
【００９８】
メッセージ／変換サーバ４０は、移動端末１０ａに、メッセージが届いていることを知らせる着信通知（Ｍｅｓｓａｇｅ  Ｎｏｔｉｆｉｃａｔｉｏｎ）を送信する（Ｓ２０９）。着信通知を受信した移動端末１０ａは、メッセージ管理番号の件数部分「ＸＩＤ」を含むメッセージ受信要求（ＨＴＴＰ  ＧＥＴ）を、メッセージ／変換サーバ４０に送信する（Ｓ２１０）。メッセージ／変換サーバ４０は、メッセージ受信要求に基づいて、ＭＭＳ端末３０ａからの情報を含むメッセージを、移動端末１０ａに送信する（Ｓ２１１）。
【００９９】
メッセージ／変換サーバ４０は、送達既読管理データベース４２に保持されている送信状況を更新する。そして、メッセージ／変換サーバ４０は、メッセージを移動端末１０ａに送信したことをＭＭＳ端末３０ａに通知する送達確認通知を生成する。メッセージ／変換サーバ４０は、ＭＭＳリレー／サーバ３０ｄに、生成した送達確認通知（ＭＭ４＿ｄｅｌｉｖｅｒｙ＿ｒｅｐｏｒｔ．ＲＥＱ）を送信する（Ｓ２１２）。ＭＭＳリレー／サーバ３０ｄは、送達確認通知を受信したことを通知する送達確認通知応答（ＭＭ４＿ｄｅｌｉｖｅｒｙ＿ｒｅｐｏｒｔ．ＲＥＳ）をメッセージ／変換サーバ４０に送信する（Ｓ２１３）。そして、ＭＭＳリレー／サーバ３０ｄは、送達確認通知（ＭＭ１＿ｄｅｌｉｖｅｒｙ＿ｒｅｐｏｒｔ．ＲＥＱ）を、ＭＭＳ端末３０ａに送信する（Ｓ２１４）。ＭＭＳ端末３０ａは、送達確認通知を受信することにより、送達確認を行うことができる。
【０１００】
ステップ（Ｓ２１１）において、メッセージを受信した移動端末１０ａの制御部１２は、メッセージに含まれる情報にアクセスして、出力部１５に情報を出力する（Ｓ２１５）。このようにメッセージに含まれる情報にアクセスしたことを契機に、移動端末１０ａは、メッセージ管理番号の件数部分「ＸＩＤ」を含む既読信号を生成して、メッセージ／変換サーバ４０に送信する（Ｓ２１６）。メッセージ／変換サーバ４０は、既読信号を受信したことを移動端末１０ａに通知する（Ｓ２１７）。
【０１０１】
移動端末１０ａから既読信号を受信したメッセージ／変換サーバ４０は、送達既読管理データベース４２に保持されているアクセス状況を更新する。そして、メッセージ／変換サーバ４０は、移動端末１０ａがメッセージに含まれる情報にアクセスしたことをＭＭＳ端末３０ａに通知する既読確認通知を生成する。メッセージ／変換サーバ４０は、ＭＭＳリレー／サーバ３０ｄに、生成した既読確認通知（ＭＭ４＿ｒｅａｄ＿ｒｅｐｌｙ＿ｒｅｐｏｒｔ．ＲＥＱ）を送信する（Ｓ２１８）。ＭＭＳリレー／サーバ３０ｄは、既読確認通知を受信したことを通知する既読確認通知応答（ＭＭ４＿ｒｅａｄ＿ｒｅｐｌｙ＿ｒｅｐｏｒｔ．ＲＥＳ）をメッセージ／変換サーバ４０に送信する（Ｓ２１９）。そして、ＭＭＳリレー／サーバ３０ｄは、既読確認通知（ＭＭ１＿ｒｅａｄ＿ｒｅｐｌｙ＿ｏｒｉｇｉｎａｔｏｒ．ＲＥＱ）を、ＭＭＳ端末３０ａに送信する（Ｓ２２０）。ＭＭＳ端末３０ａは、既読確認通知を受信することにより、既読確認を行うことができる。
【０１０２】
〔効果〕
このような通信システム２、メッセージ／変換サーバ４０及び通信方法によれば、送信元端末であるＭＭＳ端末３０ａがＭＭＳリレー／サーバ３０ｄに送信したメッセージが、送信先端末である移動端末１０ａにメッセージを送信するメッセージ／変換サーバ４０により移動端末１０ａに送信されたことを、メッセージ／ＭＭＳ制御部４１がＭＭＳ端末３０ａに通知できる。そのため、複数のシステム、第１メッセージングシステム５０と第２メッセージングシステム３０が接続され、送信元送信手段であるＭＭＳリレー／サーバ３０ｄと送信先送信手段であるメッセージ／変換サーバ５０が同一のシステムに設けられていない場合であっても、ＭＭＳ端末３０ａは、ＭＭＳリレー／サーバ３０ｄに送信したメッセージが、メッセージ／変換サーバ５０によって移動端末１０ａに送信されたことを確認する送達確認を行うことができる。
【０１０３】
更に、メッセージ受信部４３ａが送信先端末である移動端末１０ａから既読信号を受信することにより、メッセージ／変換サーバ４０は、移動端末１０ａが送信元端末であるＭＭＳ端末３０ａからのメッセージに含まれる情報にアクセスしたことを把握できる。そして、メッセージ／ＭＭＳ制御部４１が、移動端末がＭＭＳ端末３０ａからのメッセージに含まれる情報にアクセスしたことを、ＭＭＳ端末３０ａに通知する。そのため、複数のシステム、第１メッセージングシステム５０と第２メッセージングシステム３０が接続され、送信元端末であるＭＭＳ端末３０ａと送信先端末である移動端末１０ａが同一のシステムに存在しない場合であっても、ＭＭＳ端末３０ａはＭＭＳリレー／サーバ３０ｄに送信したメッセージに含まれる情報に、移動端末１０ａがアクセスしたことを確認する既読確認を行うことができる。
【０１０４】
更に、メッセージ／変換サーバ４０は、ＭＭＳリレー／サーバ３０ｄからメッセージを受信するＭＭＳ受信部２４ａと、移動端末１０ａにメッセージを送信するメッセージ送信部４３ｂとを備えるため、ＭＭＳ端末３０ａと移動端末１０ａとの間のメッセージの送受信を中継できる。
【０１０５】
［変更例］
本発明は、上記第１、第２の実施の形態に限定されるものではなく、種々の変更が可能である。例えば、図５において、図６に示したメッセージ／変換サーバ４０に替えて、図１０に示すメッセージ／変換サーバ２４０を用いることができる。メッセージ／変換サーバ２４０は、メッセージサーバ１０ｄと変換サーバ２０とが一体型となったサーバである。メッセージ／変換サーバ２４０は、メッセージ／ＭＭＳ制御部２４１と、送達既読管理データベース２２と、ＭＳＳリレー／サーバインタフェース部２４と、ＷＷＷサーバ部２５と、網インタフェース部２４３と、メッセージ制御部２４４と、メッセージ保持部２４５とを備える。
【０１０６】
図１０では、ＭＭＳ端末３０ａが送信元端末、移動端末１０ａが送信先端末、ＭＭＳリレー／サーバ３０が、送信元端末であるＭＭＳ端末３０ａから送信されたメッセージを送信する送信元送信手段である場合を例として示している。又、図１０中、実線の矢印は、ＭＭＳ端末３０ａからメッセージが送信された時の処理の経路を示し、一点鎖線の矢印は、送達確認を行う時の処理の経路を示し、点線の矢印は、ＵＲＬ閲覧、既読確認を行う時の処理の経路を示す。図１０に示す送達既読管理データベース２２と、ＭＳＳリレー／サーバインタフェース部２４と、ＷＷＷサーバ部２５は、図２に示した送達既読管理データベース２２と、ＭＳＳリレー／サーバインタフェース部２４と、ＷＷＷサーバ部２５と同様である。
【０１０７】
メッセージ／ＭＭＳ制御部２４１は、情報の格納先を示すＵＲＬアドレスを含むメッセージへの変換を行い、変換したメッセージをメッセージ制御部２４４に入力する。メッセージ／ＭＭＳ制御部２４１は、この点以外は、図２に示したメッセージ／ＭＭＳ制御部２１と同様である。
【０１０８】
網インタフェース部２４３は、移動パケット通信網１０ｃとのインタフェースである。網インタフェース部２４３は、メッセージ受信部２４３ａと、メッセージ送信部２４３ｂとを備える。メッセージ受信部２４３ａは、移動端末１０ａがＵＲＬ閲覧を行う際に、移動端末１０ａからＵＲＬアドレスを受信する。メッセージ受信部２３ａは、受信したＵＲＬアドレスをＷＷＷサーバ部２５に入力する。メッセージ送信部２４３ｂは、移動端末１０ａに、ＭＭＳ端末３０ａからのメッセージに含まれていた情報の格納先を示すＵＲＬアドレスを含むメッセージを送信する。又、メッセージ送信部２４３ｂは、移動端末１０ａがＵＲＬ閲覧を行う際に、ＭＭＳ端末３０ａからのメッセージに含まれていた情報を移動端末１０ａに送信する。
【０１０９】
メッセージ制御部２４４は、情報の格納先を示すＵＲＬアドレスを含むメッセージを、メッセージ／ＭＭＳ制御部２４１から取得する。メッセージ制御部２４４は、取得したメッセージをメッセージ保持部２４５に格納する。メッセージ保持部２４５は、ＵＲＬアドレスを含むメッセージを保持する。メッセージ制御部２４４は、メッセージ保持部２４５から、ＵＲＬアドレスを含むメッセージを取得する。メッセージ制御部２４４は、取得したメッセージをメッセージ送信部２４３ｂに入力し、移動端末１０ａに送信する。
【０１１０】
尚、移動端末１０ａが送信元端末、ＭＭＳ端末３０ａが送信先端末となる場合には、メッセージ受信部２４３ａは、移動端末１０ａからＭＭＳ端末３０ａへのメッセージを受信する。メッセージ受信部２４３ａは、受信したメッセージを、メッセージ／ＭＭＳ制御部２４１に入力する。メッセージ／ＭＭＳ制御部２４１は、取得したメッセージをＭＭＳ送信部２４ｂに入力する。このようにして、網インタフェース部２４３と、メッセージ制御部２４４と、メッセージ保持部２４５は、図１に示したメッセージサーバ１０ｄとしての機能を果たす。
【０１１１】
又、図１に示した変換サーバ２０は、第１メッセージングシステム１０や第２メッセージングシステム３０内に設けることもできる。又、図２に示した変換サーバ２０は、ＭＭＳ端末３０ａと移動端末１０ａとの間のメッセージの送受信を中継しているが、変換サーバ２０は、送信元端末と送信先端末との間のメッセージの中継を行わなくてもよい。更に、通信システムを構成する複数のシステムの種類は、第１メッセージングシステム１０，５０や第２メッセージングシステム３０に限定されない。又、通信システムを構成する複数のシステムの数も限定されず、３つ以上のシステムを接続してもよい。又、送信元端末、送信先端末の種類も、移動端末１０ａやＭＭＳ端末３０ａに限定されない。更に、送信元と、送信先と、送受信されるメッセージとの対応付けができれば、送達既読管理サーバ２２，４２に保持される情報や、情報を保持する方法も限定されない。
【０１１２】
又、移動端末１０ａが送信元端末、ＭＭＳ端末３０ａが送信先端末となる場合であっても、ＭＭＳ端末３０ａが送信元端末、移動端末１０ａが送信先端末となる場合と同様にして、変換サーバ２０や、メッセージ／変換サーバ４０，２４０は、送達確認通知や既読確認通知を送信することができる。更に、変換サーバ２０や、メッセージ／変換サーバ４０，２４０は、送信元端末に送達確認通知や既読確認通知を送信したことを、送信先端末に通知する通知完了通知を送信するようにしてもよい。例えば、図４において、変換サーバ２０は、ステップ（Ｓ１１７）で送達確認通知を送信した後、ステップ（Ｓ１２２）においてＵＲＬ閲覧要求を受けて提供する情報に、送達確認通知を送信したことを通知する通知完了通知を付加して送信することができる。
【０１１３】
通知完了通知を受信した送信先端末は、通知完了通知を出力して確認することができる。例えば、図８に示す移動端末１０ａが送信先端末の場合、変換サーバ２０又はメッセージ／変換サーバ４０，２４０は、送信元端末であるＭＭＳ端末３０ａに送達確認通知や既読確認通知を送信したことを通知する通知完了通知を、移動端末１０ａに送信する。移動端末１０ａの通信部１１は、通知完了通知を受信し、制御部１２に入力する。制御部１２は、出力部１５に、通知完了通知を出力する。そして、例えば、出力部１５は、「送達確認通知をＭＭＳ端末３０ａに送信しました」というメッセージを通知完了通知として表示する。出力部１５は、通知完了通知をアイコンとして表示することも可能である。これにより、変換サーバ２０やメッセージ／変換サーバ４０，２４０は、送信先端末のユーザに、送信元端末に送達確認通知や既読確認通知を送信したことを知らせることができる。
【０１１４】
【発明の効果】
以上説明したように、本発明によれば、複数のシステムを接続した場合であっても、送達確認や既読確認を行うことができる。
【図面の簡単な説明】
【図１】本発明の第１の実施の形態に係る通信システムの構成を示す図である。
【図２】本発明の第１の実施の形態に係る変換サーバの構成を示すブロック図である。
【図３】本発明の第１の実施の形態に係る送達既読管理データベースを示す図である。
【図４】本発明の第１の実施の形態に係る通信方法の手順を示すフロー図である。
【図５】本発明の第２の実施の形態に係る通信システムの構成を示す図である。
【図６】本発明の第２の実施の形態に係るメッセージ／変換サーバの構成を示すブロック図である。
【図７】本発明の第２の実施の形態に係る送達既読管理データベースを示す図である。
【図８】本発明の第２の実施の形態に係る移動端末の構成を示すブロック図である。
【図９】本発明の第２の実施の形態に係る通信方法の手順を示すフロー図である。
【図１０】本発明の変更例に係るメッセージ／変換サーバの構成を示すブロック図である。
【図１１】従来の通信方法の手順を示すフロー図である。
【符号の説明】
１，２  通信システム
１０，５０  第１メッセージングシステム
１０ａ  移動端末
１０ｂ，３０ｂ  無線基地局
１０ｃ，３０ｃ  移動パケット通信網
１０ｄ  メッセージサーバ
１１  通信部
１２  制御部
１３  記憶部
１４  入力部
１５  出力部
２０  変換サーバ
２１，４１，２４１  メッセージ／ＭＭＳ制御部
２２，４２  送達既読管理データベース
２３  メッセージサーバインタフェース部
２３ａ  メッセージ受信部
２３ｂ  メッセージ送信部
２４  ＭＭＳリレー／サーバインタフェース部
２４ａ  ＭＭＳ受信部
２４ｂ  ＭＭＳ送信部
２５  ＷＷＷサーバ部
３０  第２メッセージングシステム
３０ａ，３１０，３３０  ＭＭＳ端末
３０ｄ，３２０  ＭＭＳリレー／サーバ
４０，２４０  メッセージ／変換サーバ
４３，２４３  網インタフェース部
４３ａ，２４３ａ  メッセージ受信部
４３ｂ，２４３ｂ  メッセージ送信部
４４，２４４  メッセージ制御部
４５，２４５  メッセージ保持部
【図１】
2005049953.tif 000003
【図２】
2005049953.tif 000004
【図３】
2005049953.tif 000005
【図４】
2005049953.tif 000006
【図５】
2005049953.tif 000007
【図６】
2005049953.tif 000008
【図７】
2005049953.tif 000009
【図８】
2005049953.tif 000010
【図９】
2005049953.tif 000011
【図１０】
2005049953.tif 000012
【図１１】
2005049953.tif 000013